(57)【要約】【課題】マグロ等の重量の重い魚介類の収容に好適な、耐水段ボール製の梱包箱を提供する。【解決手段】梱包箱１０は、耐水段ボールからなり、長辺と短辺とからなる長方形状に形成された底面部２０と、底面部２０の長辺から立ち上がる長さ面部３０及び短辺から立ち上がる幅面部４０を有する上部開口型の箱である。底面部２０の外面には、長さ方向Ｌに対して略垂直に巻き回される結束バンド６０を保持する保持部材５０が２つ接合されている。保持部材５０は、結束バンド６０を通す溝状部５２を有する帯状部材である。保持部材５０に保持された結束バンド６０を用いて梱包箱１０の外周を結束することができ、これにより長さ面部３０の胴膨れを防止する。【選択図】  図１
2019210020.tif 000002
【特許請求の範囲】
【請求項１】
耐水段ボールからなり、底面部と該底面部の四辺から略垂直に立ち上がる複数の側面部を有する梱包箱であって、
前記底面部及び複数の前記側面部のうち少なくとも何れか１つの面部に、該梱包箱の外周に巻き回される結束バンドを保持する保持部を備えることを特徴とする梱包箱。
【請求項２】
前記保持部は、幅方向両縁部に前記底面部に接合される接合部を有し、且つ、幅方向中間部に前記結束バンドを通す溝状部を有する帯状部材であることを特徴とする請求項１に記載の梱包箱。
【請求項３】
前記側面部は、前記側面部の本体をなす本体面部に対して折れ部を介して折り返されて形成された折り返し面部が重合した重合部を有することを特徴とする請求項１又は２に記載の梱包箱。
【請求項４】
前記底面部は長辺と短辺とからなる長方形状に形成され、
前記複数の側面部は、前記長辺から立ち上がる長さ面部と前記短辺から立ち上がる幅面部とを含み、
前記長さ面部の前記本体面部の側縁には、フラップ状の内側幅面部が連設され、
前記幅面部は、前記本体面部と、前記折り返し面部と、前記長さ面部の前記本体面部に対して内折りされた前記内側幅面部とが重合された多層構造の前記重合部を有することを特徴とする請求項３に記載の梱包箱。
【請求項５】
前記側面部は、前記重合部において重合する上記の各面部を互いに結合するための結合紐を挿通する通孔を備えることを特徴とする請求項３又は４に記載の梱包箱。
【請求項６】
耐水段ボールからなり、底面部と該底面部の四辺に連設された複数の側面部を有し、複数の前記側面部を前記底面部に対して略垂直に折り曲げることにより、梱包箱に組み立てられるブランクシートであって、
前記底面部及び複数の前記側面部のうち少なくとも何れか１つの面部に、該梱包箱の外周に巻き回される結束バンドを保持する保持部を備えることを特徴とする梱包箱用のブランクシート。
【発明の詳細な説明】
【技術分野】
【０００１】
この発明は、耐水段ボールを用いた梱包箱及び梱包箱用のブランクシートに関し、特に、例えばマグロのような重量の重い魚介類の収容に適した梱包箱及び梱包箱用のブランクシートに関する。
【背景技術】
【０００２】
従来、魚市場等において魚介類を保冷状態で保管、輸送等する際に使用される梱包箱は、木箱や発泡合成樹脂製の箱であることが一般的である。この明細書において、魚介類の保管、輸送等に使用される梱包箱を魚箱とも言う。
【０００３】
近年では、木箱や発泡合成樹脂製箱に替えて、耐水段ボールを材料として用いた耐水段ボール箱を、魚箱として使用することも行われている（例えば、下記特許文献１及び特許文献２を参照）。魚箱に適した耐水段ボールの一例として、例えば段ボールのライナや中芯に合成樹脂エマルジョン等からなる耐水塗料層を設けたものが知られる（下記特許文献３及び特許文献４を参照）。
【先行技術文献】
【特許文献】
【０００４】
【特許文献１】特開２００５−０１４９８９号公報
【特許文献２】特開２００５−０３５５９５号公報
【特許文献３】特開２００１−２４６６７８号公報
【特許文献４】特開２００２−０１３０９８号公報
【発明の概要】
【発明が解決しようとする課題】
【０００５】
ところで、魚箱は、その使用に際して、魚等の収容物自体から流れ出る水分、保冷用の氷、結露水、あるいは、魚市場の場内洗浄等のために散布される水などに由来する水分に長時間接触することが多い。このため、耐水性を有する耐水段ボール箱においてもなお、水分の影響による箱の変形や強度の低下等の課題が生じる。かかる課題は、水分の影響のみならず、収容物の重量の影響によっても、生じる。魚箱には、魚介類等の収容物とともに保冷用の氷も収容されるので、収容物全体の重量が重くなりがちである。このため、マグロのような重量の重い魚介類を収容する魚箱においては、より一層、箱の変形や強度の低下等の課題が生じ易い。
【０００６】
この発明は、上述の点に鑑みてなされたもので、特にマグロ等の重量の重い魚介類の収容に好適な、耐水段ボール製の梱包箱、及び、かかる梱包箱用のブランクシートを提供することを目的とする。
【課題を解決するための手段】
【０００７】
この発明に係る梱包箱は、耐水段ボールからなり、底面部と該底面部の四辺から略垂直に立ち上がる複数の側面部を有する梱包箱であって、前記底面部及び複数の前記側面部のうち少なくとも何れか１つの面部に、該梱包箱の外周に巻き回される結束バンドを保持する保持部を備えることを特徴とする。
【０００８】
前記保持部は、幅方向両縁部に前記底面部に接合される接合部を有し、且つ、幅方向中間部に前記結束バンドを通す溝状部を有する帯状部材であることが好ましい。
【０００９】
また、前記側面部は、前記側面部の本体をなす本体面部に対して折れ部を介して折り返されて形成された折り返し面部が重合した重合部を有することが好ましい。
【００１０】
また、前記底面部は長辺と短辺とからなる長方形状に形成され、前記複数の側面部は、前記長辺から立ち上がる長さ面部と前記短辺から立ち上がる幅面部とを含み、前記長さ面部の前記本体面部の側縁には、フラップ状の内側幅面部が連設され、前記幅面部は、前記本体面部と、前記折り返し面部と、前記長さ面部の前記本体面部に対して内折りされた前記内側幅面部とが重合された多層構造の前記重合部を有することが好ましい。
【００１１】
また、前記側面部は、前記重合部において重合する上記の各面部を互いに結合するための結合紐を挿通する通孔を備えることが好ましい。
【００１２】
また、この発明に係る梱包箱用のブランクシートは、耐水段ボールからなり、底面部と該底面部の四辺に連設された複数の側面部を有し、複数の前記側面部を前記底面部に対して略垂直に折り曲げることにより、梱包箱に組み立てられる前記ブランクシートであって、前記底面部及び複数の前記側面部のうち少なくとも何れか１つの面部に、該梱包箱の外周に巻き回される結束バンドを保持する保持部を備えることを特徴とする。
【発明の効果】
【００１３】
この発明によれば、結束バンドによって梱包箱の変形を抑制できるので、梱包箱にマグロ等の重量の重い魚介類を支障なく収容することができる。
【図面の簡単な説明】
【００１４】
【図１】この発明の一実施形態に係る梱包箱の外観斜視図であって、(ａ)は梱包箱を上から見た図であり、（ｂ）は梱包箱を下から見た図である。
【図２】図１の梱包箱を組み立て前のブランクシートを示す展開平面図であって、梱包箱の内面側を表に向けた図である。
【図３】保持部材の横断面図である。
【図４】図２のブランクシートに保持部材を取り付けた状態を示す展開平面図であって、梱包箱の外面側を表に向けた図である。
【発明を実施するための形態】
【００１５】
以下に添付図面を参照して、この発明の一実施形態に係る梱包箱について説明する。
【００１６】
一実施形態に係る梱包箱は、耐水性を有する強化段ボールを材料として使用した耐水段ボール箱であり、例えばマグロのような、極めて重量の重い大型魚を保冷用の氷とともに収容可能な魚箱として使用されることを想定している。
【００１７】
この梱包箱の材料として適用される強化段ボールは、例えば、中ライナと、中ライナの両面にそれぞれ接合された中芯と、各中芯の外面に接合された表ライナ及び裏ライナとからなる二層強化段ボール（いわゆるＡＡフルート）である。かかる二層強化段ボールは、１０ｍｍほどの厚みを有しており、強度に優れ、重量物の梱包の用途に適した材料として知られている。
【００１８】
本梱包箱には、かかる二層強化段ボールに耐水性を付与した耐水段ボールが用いられている。耐水段ボールとしては、例えば、「ＵＳＰＣ（登録商標）」として知られる超耐水段ボールを適用できる。この超耐水段ボールは、各ライナに遮水処理等の耐水処理を施し、中芯に撥水処理等の耐水処理を施し、且つ、中芯と各ライナとの接合部にも強耐水処理を施したものである。なお、この明細書において、耐水との語は、耐水、撥水、遮水、防水など、段ボールに対する水分の影響を防止又は抑制する様々な機能性を総称する用語として用いる。
【００１９】
図１は、一実施形態に係る梱包箱１０の外観斜視図であって、(ａ)は組み立てた後に通常の使用状態に置いた梱包箱１０を上から見た図であり、（ｂ）は（ａ）の梱包箱１０を下から見た図である。また、図２は、図１の梱包箱１０を組み立てる前のブランクシート１００を示す展開平面図であり、梱包箱１０の内面側を表に向けた図である。なお、「通常の使用状態」とは梱包箱の底面を下に向けて置くことである。また、この明細書において、「上」「下」の表現は、梱包箱１０の通常の使用状態における上下方向を基準とする。また、図１においては、図示の便宜上、段ボールの厚みの表現を省略した。また、「内」「外」の表現は、梱包箱１０を組み立てた状態における箱の内側及び外側を基準とする。
【００２０】
図１（ａ），（ｂ）に示すように、梱包箱１０は、長辺と短辺とからなる長方形状に形成された底面部２０と、この底面部２０の四辺から略垂直に立ち上がる側面部３０，４０とを有する。複数の側面部のうち、底面部２０の長辺から立ち上がる側面部を長さ面部３０と称し、また、底面部２０の短辺から立ち上がる側面部を幅面部４０と称する。なお、図１において、「Ｌ」は、梱包箱１０の長辺に沿う長さ方向を示し、また、「Ｗ」は、梱包箱１０の短辺に沿う幅方向を示し、「Ｄ」は箱の深さ（高さ）方向を表す。
【００２１】
梱包箱１０のサイズ及びアスペクト比は、梱包箱１０の用途に応じて適宜設定されてよい。一例として、この梱包箱１０は、外寸の長さが１５００ｍｍ、幅が４２０ｍｍ及び深さが４７０ｍｍに設定され、全体として細長形状を有する比較的大型の箱とする。
【００２２】
図１（ｂ）に示すように、梱包箱１０の底面部２０の下面つまり外面には、結束バンド６０を保持するための保持部として、２つの保持部材５０が備わる。保
持部材５０は、結束バンド６０の巻き方向に沿って延びる帯状部材であり、所要の強度及び耐水性を有している。本実施形態では、保持部材５０は、梱包箱１０と同一の二層強化段ボールからなる。各保持部材５０は、結束バンド６０の巻き方向に沿って延びるように底面部２０に配設される。また、２つの保持部材５０は、長さ方向Ｌに離隔して配置される。
【００２３】
図３は、保持部材５０の横断面図であり、保持部材５０の上面（つまり底面部２０との接合面）を上に向けた状態を示している。図３に示すように、保持部材５０は、その幅方向の両縁部に底面部２０と接合される接合部５１を有し、且つ、その幅方向の中間部に結束バンド６０を通す溝状部５２を有する。溝状部５２は、結束バンド６０を挿通し得る適宜の幅及び深さを有している。
【００２４】
図１（ａ）及び（ｂ）に示すように、保持部材５０により保持された２本の結束バンド６０は、梱包箱１０の外周に、長さ方向Ｌに対して略垂直方向に巻き回されている。各結束バンド６０の両端は、梱包箱１０の上部にて、係止具６１により係止される。結束バンド６０は、一例として、平帯状のポリプロピレン製バンド（いわゆるＰＰバンド）からなる。
【００２５】
本実施形態では、各長さ面部３０は、長さ面部３０の本体をなす本体面部３１と、この本体面部３１の上縁において折れ部３２を介して折り返されて形成された折り返し面部３３とを有しており、折り返し面部３３は本体面部３１の上部と重合して長さ面重合部３０Ａを形成している。また、各幅面部４０は、幅面部４０本体をなす本体面部４１と、この本体面部４１の上縁において折れ部４２を介して折り返されて形成された折り返し面部４３とを有しており、折り返し面部４３は本体面部４１の上部と重合して幅面重合部４０Ａを形成している。各幅面部４０については、更に、長さ面部３０の本体面部３１の両側縁に連設されたそれぞれのフラップ状の内側幅面部４５，４６（後述の図２参照）が梱包箱１０の内側に内折りされて重合されており、幅面重合部４０Ａは、より多層構造を有している。このように、長さ面重合部３０Ａ及び幅面重合部４０Ａを備えることにより、各長さ面部３０及び各幅面部４０の剛性及び強度が高められている。長さ面重合部３０Ａ及び幅面重合部４０Ａの具体的な構成例は後述する。
【００２６】
なお、幅面部４０には、例えば収容物を収容する前の空の梱包箱１０を持ち運ぶ際に利用される手持ち穴４８が設けられ、また、底面部２０には、梱包箱１０内の水分を抜くための複数の孔２１が設けられている。
【００２７】
次に、一実施形態に係る梱包箱１０用のブランクシート（単に、ブランク又はシートとも言う）１００について説明する。（なお、ブランク１００の各部分の符号は、梱包箱１０の対応する部分の符号と同じものとしている。また、ブランク１００の説明では、対をなす部分については、両者を区別するために符号の末尾にａ，ｂを付けている。）
図２に示すように、梱包箱１０のブランク１００は、長辺と短辺を有する長方形状に形成された底板２０と、この底板２０の長辺に連設された第１側板３１ａ，３１ｂと、短辺に連設された第２側板４１ａ，４１ｂを備える。第１側板３１ａ，３１ｂはそれぞれ折り目（いわゆる罫線）２２ａ，２２ｂを介して底板２０に連設されており、また、第２側板４１ａ，４１ｂはそれぞれ罫線２３ａ，２３ｂを介して底板２０に連設されている。底板２０は、梱包箱１０の底面部２０を形成し、第１側板３１ａ，３１ｂは、梱包箱１０の各長さ面部３０の本体面部３１を形成し、第２側板４１ａ，４１ｂは、梱包箱１０の各幅面部４０の本体面部４１を形成する（図１参照）。なお、図２において点線は罫線を示す。
【００２８】
個々の第１側板３１ａ，３１ｂの上縁には、折り目３４ａ，３４ｂを介して折り返しフラップ３３ａ，３３ｂが連設される。一例として、折り目３４ａ，３４ｂは、折り目と半切りを交互に入れて折り易いように加工された２本のリード罫線からなり、２本のリード罫線３４ａ，３４ｂで挟まれた細長い部分３２ａ，３２ｂが、梱包箱１０を組み立てた状態において、長さ面部３０の上縁の折れ部３２（図１参照）を形成する。この折り返しフラップ３３ａ，３３ｂが折り返し面部３３（図１参照）を形成する。なお、図２において、一点鎖線はリード罫線を示す。
【００２９】
また、個々の第２側板４１ａ，４１ｂの上縁にも、２本のリード罫線４４ａ，４４ｂを介して折り返しフラップ４３ａ，４３ｂが連設される。２本のリード罫線に挟まれた細長い部分４２ａ，４２ｂが、梱包箱１０を組み立てた状態において、幅面部４０の上縁の折れ部４２（図１参照）を形成する。折り返しフラップ４３ａ，４３ｂが折り返し面部４３を形成する。更に、一方の第１側板３１ａの両側縁には、折り目（いわゆる罫線）３５ａ，３５ｂを介してフラップ状の内側幅面部４５ａ，４６ｂが連設される。また、他方の第１側板３１ｂの両側縁には、罫線３５ａ，３５ｂを介してフラップ状の内側幅面部４５ｂ，４６ａが連設される。
【００３０】
また、図２に示すブランク１００の構成例では、ブランク１００の側縁（図の例では内側幅面部４６ａの一側縁）に、２つの保持部材５０が付加的に連設されている。すなわち、１つの梱包箱１０に取り付けられる２つの保持部材５０は、その梱包箱１０用のブランク１００を１枚の段ボールシートから製造する時に、当該ブランク１００と一体的に形成される。
【００３１】
一例として、ブランク１００と保持部材５０の間、並びに、２つの保持部材５０の間には、それぞれ切り取り線５３が形成されている。したがって、各保持部材５０は、切断用具を用いることなくユーザの手でブランク１００から切り離され得る。図２において、切り取り線５３は破線により示されている。また、図２において、保持部材５０上に描かれた斜線部は、溝状部５２である。溝状部５２は、例えば、図２の斜線部を木型等で潰すエンボス加工により形成され得る。このエンボス加工や切り取り線５３を入れる加工は、段ボールシートからブランク１００を製造する際の罫線を加工する工程で、罫線加工と同時に行うようにしてもよい。
【００３２】
保持部材５０は、ブランク１００を梱包箱１０に組み立てる前に、該ブランク１００から切り離される。一例として、切り離された各保持部材５０は、ブランク１００を梱包箱１０に組み立てる前に、当該ブランク１００の底板２０の下面の所定箇所５００（図２において二点鎖線で示す箇所）に、例えばホットメルト接着剤により接着されるとよい。
【００３３】
図４は、ブランク１００に保持部材５０を取り付けた状態を示す展開平面図であり、梱包箱１０の外面側を表に向けた図である。図４の例では、梱包箱１０に組み立てる前のブランク１００の状態で、各保持部材５０に結束バンド６０が予めセットされている。なお、結束バンド６０は、梱包箱１０の外周に巻き回すのに必要な適宜の長さに切断されているものとする。一例として、ブランク１００は、図４の状態で、例えば魚市場など梱包箱１０を利用する現場に搬送され、現場で梱包箱１０に組み立てられる。
【００３４】
次に、上記の構成からなるブランク１００を梱包箱１０に組み立てる手順の一例を説明する。
【００３５】
先ず、（１）各第１側板３１ａ，３１ｂを、梱包箱１０の内側に向けて、底板２０に対して略垂直に折り曲げる。
【００３６】
次に、（２）一方の第１側板３１ａの内側幅面部４５ａを、梱包箱１０の内側に向けて折り曲げる。
【００３７】
続いて、（３）他方の第１側板３１ｂの内側幅面部４６ａを梱包箱１０の内側に向けて折り曲げることで、先の（２）で折り曲げた内側幅面部４５ａに重ね合わせる。
【００３８】
そして、（４）第２側板４１ａを、底板２０に対して略垂直に折り曲げる。これにより、内側幅面部４５ａ，４６ａ及び第２側板４１ａを相互に重ね合わせる。
【００３９】
また、（２）〜（４）と同様の手順により、第１側板３１ｂの内側幅面部４５ｂ、第１側板３１ａの内側幅面部４６ｂ、及び、第２側板４１ｂを順次折り曲げて、相互に重ね合わせる。
【００４０】
（５）各第１側板３１ａ，３１ｂの折り返しフラップ３３ａ，３３ｂを、梱包箱１０の内側に向けて折り曲げ、且つ、各第２側板４１ａ，４１ｂの折り返しフラップ４３ａ，４３ｂを、梱包箱１０の内側に向けて折り曲げる。これにより、第１側板３１ａ,３１ｂに対して、折り返しフラップ３３ａ、３３ｂが重ね合わされることで、長さ面重合部３０Ａ（図１参照）が形成される。また、第２側板４１ａ，４１ｂと、内側幅面部４５ａ，４６ａ，４５ｂ，４６ｂと、折り返しフラップ４３ａ，４３ｂが重ね合わされることで、幅面重合部４０Ａ（図１参照）が形成される。
【００４１】
そして、（６）折り曲げられた各折り返しフラップ３３ａ，３３ｂを、それぞれ対応する第１側板３１ａ，３１ｂに対して固定し、また、折り曲げられた各折り返しフラップ４３ａ，４３ｂを、それぞれ対応する第２側板４１ａ，４１ｂと、内側幅面部４５ａ，４６ａ，４５ｂ，４６ｂに固定する。
【００４２】
一例として、前記（６）の固定は、結束紐７０により行う。すなわち、長さ面部３０及び幅面部４０は、それぞれ、結束紐７０を括り付けるための１対の通孔３６、４７を備える（図１参照）。このため、各第１側板３１ａ，３１ｂ及び各折り返しフラップ３３ａ，３３ｂの所定箇所には、それぞれ、１対の孔３６Ａ，３６Ｂが穿孔されている（図２参照）。各１対の孔３６Ａ，３６Ｂは、梱包箱１０を組み立てた状態で互いに重なり合い、１対の通孔３６を形成する。また、各第２側板４１ａ，４１ｂ、各折り返しフラップ４３ａ，４３ｂ、並びに、各内側幅面部４５ａ，４６ａ，４５ｂ，４６ｂの所定箇所には、それぞれ、一対の孔４７Ａ，４７Ｂ，４７Ｃ，４７Ｄが穿孔されている（図２参照）。各１対の孔４７Ａ，４７Ｂ，４７Ｃ，４７Ｄは、梱包箱１０を組み立てた状態で互いに重なり合い、１対の通孔４７を形成する。
【００４３】
ユーザは、結束紐７０の一端を１対の通孔３６，４７の一方から他方へ通し、該一端を他端に係止することで、結束紐７０を環状に閉じる。これにより、折り返しフラップ３３ａ，３３ｂ及び第１側板３１ａ，３１ｂを相互に結合することができ、また、各第２側板４１ａ，４１ｂ、各内側幅面部４５ａ，４６ａ，４５ｂ，４６ｂ、及び、各折り返しフラップ４３ａ，４３ｂを相互に結合することができる。
【００４４】
結束紐７０は、例えばインシュロック（登録商標）のような、紐体の一端に留め具を備えるものであってよい。紐体の一端に留め具を備えた結束紐７０を用いた場合、手間をかけず効率的に前記の固定作業を行うことができる
【００４５】
以上の手順（１）〜（６）により、図１に示すような上部開口型の梱包箱１０が組み立てられる。ユーザは、梱包箱１０を組み立てた後に、例えば、マグロ等の収容物と保冷用の氷とを該梱包箱１０内に収容する。その後、ユーザは、各保持部材５０に予めセットされた各結束バンド６０の両端を、それぞれ、梱包箱１０の上部にて、係止具６１により係止するだけで、梱包箱１０の外周を２本の結束バンド６０で結束することができる。
【００４６】
結束バンド６０により各長さ面部３０を支持することにより、例えば梱包箱１０に収容された収容物の重量や水分の影響等により各長さ面部３０が幅方向Ｗに外側に広がる変形（いわゆる胴膨れ）を、防止又は抑制することできる。特に、この実施形態の梱包箱１０は、全体として細長い形状を有しているので、長さ面部３０に胴膨れが生じやすい。従って、長さ方向Ｌに離隔した２本の結束バンド６０により各長さ面部３０を支持する構成により、より一層効果的に胴膨れの防止又は抑制を図ることができる。なお、結束バンド６０は、胴膨れを防止又は抑制することを目的としているので、梱包箱１０をきつく締め付ける必要はなく、むしろ、ある程度の遊びを持つように、緩く巻き回されることが好まし
い。
【００４７】
また、長さ面部３０に長さ面重合部３０Ａを有することで、長さ面部３０に対して、結束バンド６０を用いた補強に加えて、より一層の補強を施すことができる。また、幅面部４０に対しては、多層構造の幅面重合部４０Ａによって、より強固な補強を施すことができる。このように補強された構造により梱包箱１０の変形が抑えられるので、重量のある収容物を収容するにあたり、（１）先ず、空の梱包箱１０を横倒しにして、（２）横倒しされた梱包箱１０内に、収容物を、持ち上げることなく滑り込ませ、（３）その後、収容物が収容された梱包箱１０を起こす、という手順で作業を行うことが可能となる。
【００４８】
このような変形防止策及び補強策を講じることで、この梱包箱１０は、マグロ等の重量の重い魚介類を支障なく収容できるものとなる。
【００４９】
また、梱包箱１０は、保持部材５０を備えているため、結束に用いる結束バンド６０を所望の位置（つまり保持部材５０の位置）に固定的に保持しておくことができ、且つ、保持された結束バンド６０が該所望の位置からずれることもない。このため、ユーザは、梱包箱１０に保持部材５０を介して結束バンド６０を予めセットしておきさえすれば、現場での梱包作業時に結束バンドを用意したり、位置決めしたりする手間をかけることなく、簡単且つ効率的に、結束バンド６０を用いた補強を行うことが可能となる。
また、底面部２０の外面に保持部材５０を接合する構成により、保持部材５０の厚み分だけ梱包箱１０の底面部２０と床面の間に隙間が生じるので、梱包箱１０は、フォークリフトなどにより取扱い易いものとなる。
【００５０】
また、梱包箱１０は二層強化段ボールを材料としているので、前記図４に示すような、保持部材５０に結束バンド６０を予めセットしたブランク１００の状態で、ユーザに提供されることが好ましい。これにより、ユーザは、ブランク１００の各部を順次折り曲げて、結束紐７０で各面部を固定するだけの簡単な作業を行うだけで、結束バンド６０が予めセットされた梱包箱１０を組み立てることできる。このことは、例えば魚市場など梱包箱１０を利用する現場で梱包箱１０の組み立て作業を行う、という使用形態に有利である。
【００５１】
また、箱状に組み立てられたものを魚市場等の現場に運ぶよりも、ブランク１００の状態で運ぶほうがユーザにとって取扱い易い。特に、箱のサイズが大型の場合、この取扱い易さがユーザの負担を大幅に軽減させることになる。また、梱包箱１０をブランク１００の状態で保管することにより、梱包箱１０の保管用スペースを大幅に削減することができる。
【００５２】
また、保持部材５０に結束バンド６０を予めセットしたブランク１００の状態で、梱包箱１０をユーザに提供することにより、ユーザは、梱包箱１０とそれを結束するための結束バンド６０を一体的に管理できる。これにより、その管理に関するユーザの負担を削減することができる。
【００５３】
加えて、梱包箱１０の材料となる耐水段ボールは、通常の紙素材の廃棄と同様に処理できるので、木箱や発泡合成樹脂製の箱と比べて、廃棄処分が極めて容易である。したがって、かかる耐水段ボールを材料とする梱包箱１０は、いわゆる衛生管理市場での環境対応に適している。また、耐水段ボールは、古紙として回収し、パルプ原料として再利用することも可能である。
【００５４】
なお、上述した一実施形態はあくまでも例示に過ぎず、前述の実施形態で明示しない種々の変形や技術の適用を排除する意図はない。前述の実施形態の構成は、それらの趣旨を逸脱しない範囲で種々変形して実施することができる。
【００５５】
例えば、１つの梱包箱１０を結束する結束バンド６０の数は、２本に限らず、１以上の複数本であってよく、梱包箱１０は、使用する結束バンド６０の数に応じた１以上の複数の保持部材５０を具備してよい。一例として、例えば梱包箱１０のサイズが比較的小型な場合や収容物の重量が比較的軽い場合には、１つの梱包箱１０を結束する結束バンド６０は１本であってもよい。その場合、例えば、１つの保持部材５０を底面部２０の長さ方向Ｌの略中間部に設置するとよい。
【００５６】
また、例えば梱包箱１０が略立方体形状の場合、四側面のいずれにおいても胴膨れを生じやすいため、梱包箱１０に対して結束バンド６０を十字状に巻き回すとよい。この場合、保持部材５０の溝状部５２を、結束バンドの巻き回し方向に沿って十字状に形成するとよい。
【００５７】
また、別の例として、保持部材５０を設置する面は、底面部２０の外面に限らず、例えば長さ面部３０の外面等でもよい。また、例えば保持部材５０を底面部２０と各長さ面部３０それぞれの外面に設置するなど、複数の面部に保持部材５０を設置してもよい。
【００５８】
また、別の例として、結束バンド６０を保持する保持部は、梱包箱１０とは別部材の保持部材５０により結束バンド６０を保持するものに限らず、底面部２０又は側面部３０、４０のうち少なくとも何れか１つの面部に結束バンド６０を挿通可能な孔又は溝状部を直に設け、その孔又は溝状部により結束バンド６０を保持するものであってもよい。
【００５９】
また、梱包箱１０は、魚介類を収容する用途に限らず、その他のどのような収容物に適用されてもよく、収容物の種類が何であれ、大型で重量が重く且つ水分の多い収容物の収容に好適である。
【符号の説明】
【００６０】
１０  梱包箱
２０  底面部
３０  長さ面部（側面部）
３０Ａ  長さ面重合部
３１  本体面部
３２  折れ部
３３  折り返し面部
３６  通孔
４０  幅面部（側面部）
４０Ａ  幅面重合部
４１  本体面部
４２  折れ部
４３  折り返し面部
４７  通孔
５０  保持部材（保持部）
５１  接合部
５２  溝状部
６０  結束バンド
６１  係止具
７０  結束紐
１００  ブランク
４５ａ，４５ｂ  内側幅面部
４６ａ，４６ｂ  内側幅面部
【図１】
2019210020.tif 000003
【図２】
2019210020.tif 000004
【図３】
2019210020.tif 000005
【図４】
2019210020.tif 000006